(57)【要約】【課題】熟練した技術を有していない者であっても、簡単な作業だけで極めて容易に取り付けることができ、また、内部スペースを有効に利用することができる壁面収納棚を提供する。【解決手段】天板２、底板３、及び、左右の側板４を枠状に組み、背面側に背板６が配置される棚本体１と、水平な上面部及び垂直な背面部を有する固定用桟材１１とによって構成され、棚本体１には、背面側から天板２の下側のスペースに固定用桟材１１を進入させることができる寸法及び形状に設定された間隙部１０が形成され、固定用桟材１１には、背面部に向かって略水平方向に貫通する水平ビス孔１２、及び、上面部に向かって略垂直方向に貫通する垂直ビス孔を多数形成した。【選択図】図３
2019180671.tif 000002
【特許請求の範囲】
【請求項１】
天板、底板、及び、左右の側板を枠状に組み、背面側に背板が配置される棚本体と、水平な上面部及び垂直な背面部を有する固定用桟材とによって構成され、
棚本体には、背面側から天板の下側のスペースに固定用桟材を進入させることができる寸法及び形状に設定された間隙部が形成され、
固定用桟材には、背面部に向かって略水平方向に貫通する水平ビス孔、及び、上面部に向かって略垂直方向に貫通する垂直ビス孔が多数形成されていることを特徴とする壁面収納棚。
【請求項２】
天板、底板、及び、左右の側板を枠状に組み、背面側に背板が配置され、中段に棚板が配置される棚本体と、水平な上面部及び垂直な背面部を有する固定用桟材とによって構成され、
棚本体には、背面側から棚板の下側のスペースに固定用桟材を進入させることができる寸法及び形状に設定された間隙部が形成され、
固定用桟材には、背面部に向かって略水平方向に貫通する水平ビス孔、及び、上面部に向かって略垂直方向に貫通する垂直ビス孔が多数形成されていることを特徴とする壁面収納棚。
【請求項３】
固定用桟材が、下向きの傾斜面部を有していることを特徴とする、請求項１又は請求項２に記載の壁面収納棚。
【発明の詳細な説明】
【技術分野】
【０００１】
本発明は、室内等において、床面に接することなく、壁面に取り付けられる収納棚（キャビネット、ラック、又は、シェルフ等）に関し、特に、簡単な作業だけで極めて容易に取り付けることができる壁面収納棚に関する。
【背景技術】
【０００２】
壁面に対し簡単に取り付けることができる収納棚として、従来より様々な構造のものが提案されている。例えば、特開平５−１８４４３０号公報（特許文献１）には、壁面（２）の上方の位置（より詳細には、取り付けようとする収納棚（５）の背面側の上方の周縁部（６ａ）と係合する位置）に、固定用桟材（４）を水平な向きで固定し、更に、その下方へ一定の間隔を置いた位置（収納棚（５）の背面側の下方の周縁部（６ａ）と係合する位置）に、もう一本の固定用桟材（４）を水平な向きで固定し、これらの二本の固定用桟材（４）に、背面側の周縁部（６ａ）をそれぞれ係合させて、壁面（２）に固定するように構成された収納棚（５）が開示されている。また、特開平７−２９３５２４号公報（特許文献２）にも、同様の構造の収納棚が開示されている。
【先行技術文献】
【特許文献】
【０００３】
【特許文献１】特開平５−１８４４３０号公報
【特許文献２】特開平７−２９３５２４号公報
【発明の概要】
【発明が解決しようとする課題】
【０００４】
しかしながら、特許文献１，２に開示されているような、二本の固定用桟材を予め壁面に対して固定するタイプのものは、水平器を用いた水平調整を含む位置決め作業を二回実施する必要があるほか、二本の固定用桟材の間隔が正しい寸法となるように、位置決め作業において相応の正確性が求められ、熟練した技術が必要となる。
【０００５】
また、上記のような従来の収納棚は、上下の固定用桟材が、収納棚の背板と壁面との間に介在することになるため、背板と壁面との間に、固定用桟材の厚さ寸法分だけ、無駄なスペースが形成されてしまうことになり、収納棚内の有効スペースが減じられてしまうという問題がある。更に、当該スペースへの湿気や害虫の侵入を防止するために、収納棚の背面側の周縁部と壁面との隙間を埋めるコーキング作業が必要になるという問題がある。
【０００６】
本発明は、このような従来技術における問題を解決しようとするものであって、熟練した技術を有していない者であっても、簡単な作業だけで極めて容易に取り付けることができ、また、内部スペースを有効に利用することができる壁面収納棚を提供することを目的とする。
【課題を解決するための手段】
【０００７】
本発明の壁面収納棚は、天板、底板、及び、左右の側板を枠状に組み、背面側に背板が配置される棚本体と、水平な上面部及び垂直な背面部を有する固定用桟材とによって構成され、棚本体には、背面側から天板の下側のスペースに固定用桟材を進入させることができる寸法及び形状に設定された間隙部が形成され、固定用桟材には、背面部に向かって略水平方向に貫通する水平ビス孔、及び、上面部に向かって略垂直方向に貫通する垂直ビス孔が多数形成されていることを特徴としている。
【０００８】
また、本発明のもう一つの壁面収納棚は、天板、底板、及び、左右の側板を枠状に組み、背面側に背板が配置され、中段に棚板が配置される棚本体と、水平な上面部及び垂直な背面部を有する固定用桟材とによって構成され、棚本体には、背面側から棚板の下側のスペースに固定用桟材を進入させることができる寸法及び形状に設定された間隙部が形成され、固定用桟材には、背面部に向かって略水平方向に貫通する水平ビス孔、及び、上面部に向かって略垂直方向に貫通する垂直ビス孔が多数形成されていることを特徴としている。
【０００９】
尚、固定用桟材は、水平な上面部及び垂直な背面部のほかに、下向きの傾斜面部を有していることが好ましい。
【発明の効果】
【００１０】
本発明に係る壁面収納棚は、取り付けに際して、固定用桟材の位置決め作業が一回で済み、また、熟練した技術は不要で、簡単な作業だけで極めて容易に取り付けることができる。また、壁面に対して背板が密着した状態で取り付けることができるため、収納棚の内部スペースを有効に利用することができるほか、収納棚の背面側の部分と壁面との隙間を埋めるコーキング作業を省略することができる。
【図面の簡単な説明】
【００１１】
【図１】図１は、本発明に係る壁面収納棚を構成する棚本体１の背面側の斜視図である。
【図２】図２は、本発明に係る壁面収納棚を構成する固定用桟材１１の外観及び断面を示す図であって、（１）は正面図、（２）は、Ａ−Ａ線による拡大断面図、（３）はＢ−Ｂ線による拡大断面図、（４）は底面図、（５）は下方側からの斜視図である。
【図３】図３は、本発明に係る壁面収納棚の取付方法の説明図であって、棚本体１、固定用桟材１１等の断面図である。
【図４】図４は、本発明に係る壁面収納棚の取付方法の説明図であって、棚本体１、固定用桟材１１等の断面図である。
【発明を実施するための形態】
【００１２】
以下、添付図面に沿って本発明「壁面収納棚」の実施形態について説明する。図１は、本発明に係る壁面収納棚を構成する棚本体１の背面側の斜視図である。この棚本体１は、天板２、底板３、及び、左右の側板４を枠状に組み、中段に棚板５が配置され、背面側に背板６が配置される構造となっている。尚、この棚本体１は、図１において破線で示す部分も背板６によって覆われているが、ここでは説明の便宜上、背板６の右半部のみを表示し、左半部については表示を省略している。
【００１３】
また、背板６は、図示されているように、高さ寸法が、棚本体１全体の高さ寸法よりも小さく設定されており、背板６の上端部６ａが、天板２の背面側の下端部２ａよりも所定寸法分低い位置となるように配置されている。これにより、背板６の上端部６ａと天板２の背面側の下端部２ａとの間に、棚本体１の背面側から天板２の下側のスペースへのアクセスを可能にする間隙部１０が形成されている。尚、棚本体１の全体と同じ高さ寸法を有するとともに、上部に所定大のスリット（長孔）が形成された背板（図示せず）を使用することによって、棚本体１の背面側に間隙部１０を形成することもできる。
【００１４】
図２は、本発明に係る壁面収納棚を構成する固定用桟材１１の外観及び断面を示す図である。図示されているように、この固定用桟材１１は、角材の一つの角部を長手方向に沿って大きく面取りして、長手方向と直交する断面が、直角三角形に近似した五角形となるように加工してなるものであり、水平な上面部１１ａと、垂直な背面部１１ｂと、下向きの傾斜面部１１ｃとを有している。
【００１５】
尚、本実施形態においては、固定用桟材１１の高さ寸法が３０ｍｍに設定されており、棚本体１の背面側上部に形成されている間隙部１０（図１参照）の高さ寸法は、この固定用桟材１１の高さ寸法とほぼ一致するように設定されており、また、間隙部１０は、固定用桟材１１の形状に対応した形状となっている。このため棚本体１は、背面側から天板２の下側のスペースに、間隙部１０を介して固定用桟材１１を進入させることができる。
【００１６】
また、固定用桟材１１には、多数のビス孔が形成されている。より詳細には、傾斜面部１１ｃから背面部１１ｂに向かって略水平方向に貫通する水平ビス孔１２が、長手方向へ等間隔で並列するように、多数（本実施形態においては七個）形成されており、また、傾斜面部１１ｃから上面部１１ａに向かって略垂直方向に貫通する垂直ビス孔１３が、長手方向へ等間隔で並列するように、多数（本実施形態においては六個）形成されている。
【００１７】
本発明の壁面収納棚は、上記のような構成に係るものであるところ、簡単な作業だけで極めて容易に取り付けることができる。具体的には、図３に示すように、取り付けようとする壁面のボード２１（表面に壁紙を貼り付けた石膏ボード、又は、化粧板等）に、固定用桟材１１を取り付ける。尚、固定用桟材１１は、上面部１１ａ（図２参照）が上向き、長手方向が水平となる向きで、背面部１１ｂ（図２参照）をボード２１に当接させ、ビス２３を、水平ビス孔１２内に差し込み、ボード２１内へ（柱等の構造材２２が裏側に存在している部位においては、ビス２３の先端が構造材２２まで到達するように）打ち込んで固定する。
【００１８】
次に、棚本体１を、背板６がボード２１に当接する向きで配置する。このとき、棚本体１の背面側の間隙部１０を、ボード２１に固定された固定用桟材１１の位置に合わせ、図４に示すように、間隙部１０内に固定用桟材１１を進入させる。そして、ビス２３を垂直ビス孔１３内に差し込み、天板２内に打ち込んで固定する。最後に、背板６の下方部において、ビス２３を、室内側からボード２１内へ（柱等の構造材２２が裏側に存在している部位においては、ビス２３の先端が構造材２２まで到達するように）打ち込んで安定させる。
【００１９】
このように、本発明の壁面収納棚は、簡単な作業だけで極めて容易に取り付けることができる。また、壁面に対して背板が密着した状態で取り付けることができるため、収納棚の内部スペースを有効に利用することができるほか、収納棚の背面側の部分と壁面との隙間を埋めるコーキング作業を省略することができる。
【００２０】
尚、上記実施形態においては、固定用桟材１１として、図２に示すように、水平な上面部１１ａと、垂直な背面部１１ｂと、下向きの傾斜面部１１ｃとを有するものが採用されているが、断面が矩形状の角材を用いることもできる。但し、図２に示すような下向きの傾斜面部１１ｃを有する固定用桟材１１の方が、収容物に対して部分的に干渉する（例えば、書籍を収納する場合に、書籍の奥側上方の角部）可能性を低減することができ、内部スペースをより有効に利用することができる。
【００２１】
また、上記実施形態においては、間隙部１０が、棚本体１の背面側から天板２の下側のスペースに固定用桟材１１を進入させることができる位置に形成されているが、棚板５の下側のスペースに固定用桟材１１を進入させることができる位置に間隙部１０を形成してもよい。
【符号の説明】
【００２２】
１：棚本体、
２：天板、
２ａ：下端部、
３：底板、
４：側板、
５：棚板、
６：背板、
６ａ：上端部、
１０：間隙部、
１１：固定用桟材、
１１ａ：上面部、
１１ｂ：背面部、
１１ｃ：傾斜面部、
１２：水平ビス孔、
１３：垂直ビス孔、
２１：ボード、
２２：構造材、
２３：ビス
【図１】
2019180671.tif 000003
【図２】
2019180671.tif 000004
【図３】
2019180671.tif 000005
【図４】
2019180671.tif 000006